(57)【特許請求の範囲】
【請求項１】
発光素子と、
前記発光素子に電力を供給する電源部と、
前記電源部による前記発光素子への電力の供給を制御し、前記発光素子の明るさを制御する制御部と、を備え、
前記制御部は、少なくとも、
前記発光素子の明るさが最も明るい第１点灯状態から、当該第１点灯状態よりも暗い第２点灯状態まで調光する第１の調光モード、および前記第２点灯状態よりも暗い第３点灯状態から当該第３点灯状態よりも暗い第４点灯状態まで調光する第２の調光モードにより、前記発光素子の明るさを制御可能であり、かつ、
前記第１の調光モードにおいて、前記第２点灯状態よりも明るくかつ当該第２点灯状態の直近の点灯状態を第５点灯状態とした場合、
前記第２点灯状態から前記第３点灯状態への第１の明るさの変化量が、前記第５点灯状態から前記第２点灯状態への第２の明るさの変化量より大きい、照明装置。
【請求項２】
請求項１に記載の照明装置であって、
前記第２の調光モードにおいて、前記第３点灯状態よりも暗くかつ当該第３点灯状態の直近の点灯状態を第６点灯状態とした場合、
前記第１の明るさの変化量が、前記第３点灯状態から前記第６点灯状態への第３の明るさの変化量より大きい、照明装置。
【請求項３】
請求項１に記載の照明装置であって、
前記制御部は、前記第１の調光モードと前記第２の調光モードとの間で、明るさがゼロである消灯期間が設けられるように前記発光素子の明るさを制御する、照明装置。
【請求項４】
請求項１から３のいずれか１項に記載の照明装置であって、
前記電源部は前記発光素子に並列に接続された電解コンデンサを含むとともに、
前記制御部は、明るさがゼロである消灯モードから前記第２の調光モードへの移行の開始後、前記第２の調光モード移行後における点灯デューティより大きい点灯デューティを充電デューティとして前記電解コンデンサへの充電を開始するように前記電源部を制御する、照明装置。
【請求項５】
請求項４に記載の照明装置であって、
前記第２の調光モード移行後における点灯デューティより大きい点灯デューティは、前記第２の調光モードにおける上限の点灯デューティである、照明装置。
【請求項６】
請求項１から５のいずれか１項に記載の照明装置であって、
前記第１の調光モードが通常点灯モードであり、前記第２の調光モードが常夜灯モードである、照明装置。
【発明の詳細な説明】
【技術分野】
【０００１】
本発明は、発光素子を用いた照明装置に関する。
【背景技術】
【０００２】
従来の照明用ＬＥＤ（発光素子）駆動回路は、様々な手段で通常点灯モードでの高効率化を図っている。また、従来の照明用ＬＥＤ駆動回路は、夜間等の長時間に亘って微灯モードの状態が続くと、効率が悪くなり電力損失が増える。そこで、微灯モードでの電力損失を低減するために、ＬＥＤ駆動回路及びそれを用いたＬＥＤ照明機器が種々提案されている。ここで、微灯モードとは、通常点灯モードよりも少電流でＬＥＤを駆動するモードである。
【０００３】
特許文献１の照明装置は、複数の発光素子からなる負荷部と、複数の発光素子に電力を供給する電源部と、電源部の動作を制御する電源制御部と、電源制御部に電力を供給する制御電源部と、を備えている。そして、負荷部の複数の発光素子の一部を点灯させる場合に、電力を供給する電源部の動作を停止する動作停止手段と、電源部から発光素子へ電力を供給する切替手段を設けている。
【０００４】
例えば、少電流でＬＥＤを駆動する微灯モードの一つである常夜灯モードにおいては、一部の発光素子のみが点灯される。この場合、動作停止手段が電源部のような主回路の動作を停止させ、制御電源部から常夜灯として兼用するＬＥＤへ電力を供給することにより、余分な電力消費を抑制することができる。
【先行技術文献】
【特許文献】
【０００５】
【特許文献１】特開２０１２−１３４０３７号公報
【発明の概要】
【発明が解決しようとする課題】
【０００６】
上述したような従来の技術においては、通常点灯モードと常夜灯モードの如き、二つの調光モードの切替における明るさの変化は考慮されていない。よって、ユーザーにとって二つの調光モードの切替が生じたか否かが判断しにくく、リモコンなどの操作時に、所望のモードに移行したのかどうか、判断し難い状況が生じ得る。
【０００７】
また、明るさがゼロの消灯モードでは、一般的にＬＥＤに電力を供給する電源部内の電解コンデンサには、電荷が蓄電されない（充電されない）。また、常夜灯モードの如き省電力の調光モードにおいては、ＬＥＤを点灯させる点灯デューティは低い値に設定されている。このことはコンデンサへの充電に所定の時間がかかることを意味する。よって、ユーザーが消灯モードから常夜灯モードの如き省電力の調光モードへの移行操作をした場合、ＬＥＤの点灯開始にも所定の時間を要することになり、ユーザーにとって混乱を招く状況が生じ得る。
【０００８】
本発明は、第１の調光モードとは異なる第２の調光モードのための専用の光源（発光素子）を使用せずにコストを抑制し、かつ、第１の調光モードから第２の調光モードへの切替を分かりやすくし、ユーザーの利便性、使用感を向上させた照明装置を提供する。
【課題を解決するための手段】
【０００９】
本発明の照明装置は、発光素子と、前記発光素子に電力を供給する電源部と、前記電源部による前記発光素子への電力の供給を制御し、前記発光素子の明るさを制御する制御部と、を備え、前記制御部は、少なくとも、前記発光素子の明るさが最も明るい第１点灯状態から、当該第１点灯状態よりも暗い第２点灯状態まで調光する第１の調光モード、および前記第２点灯状態よりも暗い第３点灯状態から当該第３点灯状態よりも暗い第４点灯状態まで調光する第２の調光モードにより、前記発光素子の明るさを制御可能であり、かつ、前記第１の調光モードにおいて、前記第２点灯状態よりも明るくかつ当該第２点灯状態の直近の点灯状態を第５点灯状態とした場合、前記第２点灯状態から前記第３点灯状態への第１の明るさの変化量が、前記第５点灯状態から前記第２点灯状態への第２の明るさの変化量より大きい。
【発明の効果】
【００１０】
本発明の照明装置によれば、第２の調光モードのための専用の光源を使用せずにコストを抑制しつつ、第１の調光モードから第２の調光モードへの切替を分かりやすくし、ユーザーにとっての利便性、使用感を向上させることができる。
【図面の簡単な説明】
【００１１】
【図１】本発明の一実施形態の照明装置の外観を示し、（ａ）は照明装置の斜視図、（ｂ）は照明装置の平面図
【図２】実施形態の照明装置の回路図
【図３】照明装置の調光モードと明るさとの関係を示すグラフ
【図４】図３におけるＦの部分を拡大して示した、明るさの制御の一実施形態を示すグラフ
【図５】図３におけるＦの部分を拡大して示した、明るさの制御の他の実施形態を示すグラフ
【図６】充電デューティ、点灯デューティと照明装置の点灯状態の関係を示すタイムチャートであり、（ａ）は従来の照明装置のタイムチャート、（ｂ）は本実施形態の照明装置のタイムチャート
【発明を実施するための形態】
【００１２】
以下、本発明に係る照明装置の好適な実施形態を、図１〜図６を用いて詳述する。
【００１３】
本発明の照明装置１００は、発光素子５２と、発光素子５２に電力を供給する電源部４０と、電源部４０による発光素子へ電力の供給を制御し、発光素子５２の明るさを制御する制御部６２と、を備え、制御部６２は、少なくとも、発光素子５２の明るさが最も明るい第１点灯状態から、当該第１点灯状態よりも暗い第２点灯状態まで調光する第１の調光モード、および第２点灯状態よりも暗い第３点灯状態から当該第３点灯状態よりも暗い第４点灯状態まで調光する第２の調光モードにより、発光素子５２の明るさを制御可能であり、かつ、第１の調光モードにおいて、第２点灯状態よりも明るくかつ当該第２点灯状態の直近の点灯状態を第５点灯状態とした場合、第２点灯状態から第３点灯状態への第１の明るさの変化量が、前記第５点灯状態から前記第２点灯状態への第２の明るさの変化量より大きい。
【００１４】
第２の調光モードにおいて、第３点灯状態よりも暗くかつ当該第３点灯状態の直近の点灯状態を第６点灯状態とした場合、第１の明るさの変化量が、第３点灯状態から第６点灯状態への第３の明るさの変化量より大きいことが好ましい。
【００１５】
制御部６２は、第１の調光モードと第２の調光モードとの間で、明るさがゼロである消灯期間が設けられるように発光素子５２の明るさを制御することが好ましい。
【００１６】
電源部４０は発光素子５２に並列に接続された電解コンデンサ４２を含むとともに、制御部６２は、明るさがゼロである消灯モードから第２の調光モードへの移行の開始後、第２の調光モード移行後における点灯デューティより大きい点灯デューティを充電デューティとして電解コンデンサ４２への充電を開始するように電源部４０を制御することが好ましい。
【００１７】
第２の調光モード移行後における点灯デューティより大きい点灯デューティは、第２の調光モードにおける上限の点灯デューティであることが好ましい。
【００１８】
第１の調光モードが通常点灯モードであり、第２の調光モードが常夜灯モードであることが好ましい。
【００１９】
図１は実施形態の照明装置１００の外観を示し、（ａ）は照明装置１００の斜視図、（ｂ）は照明装置１００の平面図を示す。照明装置１００は、上発光部１１０、下発光部１２０、中央発光部１３０を備えている。上発光部１１０、下発光部１２０、中央発光部１３０は、図２で示す発光素子（ＬＥＤ；Light Emitting Diode）５２と導光板を備え、発光素子からの光を導光板を通過、拡散することにより光を広範囲に出射することが可能となる。
【００２０】
本実施形態においては、通常の点灯状態において使用する通常点灯モードにおいて、上発光部１１０、下発光部１２０、中央発光部１３０の総てが発光する。また、中央発光部１３０のみを消灯させることにより、間接照明の様な照明を演出することも可能である。
【００２１】
また、就寝時などの状況において、暗い点灯状態で使用する場合に、照明装置１００は、常夜灯モードで使用が可能である。常夜灯モードは少電流で発光素子を駆動する微灯モードの一つであって、省エネ化を図ることも可能である。本実施形態においては、中央発光部１３０のみが常夜灯モードにおいて点灯する。
【００２２】
通常点灯モードにおいては、明るさが１００％〜５％までの範囲で調光（調整）可能であり、明るさを演出する。また、常夜灯モードにおいては、明るさが１．５％〜０．５％の範囲で使用することにより、常夜灯モードとしての暗さを演出している。この暗さは、就寝時にユーザーが眩しさを感じず、かつ周囲を認識できる明るさともいえる。ここで「明るさ」とは主として照度に対応する。
【００２３】
照明装置の１００の調光モード（通常点灯モードと常夜灯モードを含む）は、図２に示すリモコン２００のボタンを操作することで切替が可能である。例えば「普段」のボタンを押すことで、信号Ｓが送信され、通常点灯モードになり、明るい点灯状態が確保される。この状態で、例えば「明」、「暗」のボタンを押すことで、信号Ｓが送信され、「明」信号であれば点灯デューティが大きくなり明るくなる。「暗」信号であれば点灯デューティが小さくなり暗くなる。さらに、リモコンの「常夜灯」ボタンを押すことで、信号Ｓを送信し、「常夜灯モード」に切り替えることができる。
【００２４】
また、常夜灯モードでも、例えばリモコン２００の「明」、「暗」ボタンを押すことで、信号Ｓを送信し、明るさを制御することが可能である。「明」信号であれば点灯デューティが大きくなり明るくなるが、「暗」信号であれば点灯デューティが小さくなり暗くなる。なお、通常点灯モード、常夜灯モードの双方において、上限または下限の明るさになった場合、照明装置１００またはリモコン２００が所定の音を鳴動することにより、ユーザーに上限または下限の明るさであることを知らせることが可能である。
【００２５】
図２は、照明装置１００の回路図を示す。照明装置１００は、整流回路２０と、昇圧チョッパ回路３０と、電源部４０と、負荷部５０と、点灯制御部６０とを含む。
【００２６】
整流回路２０は、図示せぬダイオードブリッジ回路等より構成され、商用電源１０から交流電流（電力）を受けて直流電流に変換する回路であり、周知のものが使用可能である。昇圧チョッパ回路３０は、図示せぬインダクタ、ダイオード、スイッチング素子、電解コンデンサ等より構成され、電圧を昇圧する回路であり、周知のものが使用可能である。
【００２７】
電源部４０は、図示せぬインダクタ、ダイオード、スイッチング素子等に加えて、負荷部５０の発光素子５２に並列接続される電解コンデンサ４２を含み、昇圧チョッパ回路３０によって昇圧された電圧の下、負荷部５０に（直流）電力を供給する。負荷部５０は、複数の直列接続された発光素子５２より構成され、電源部４０から供給された電力により点灯する。負荷部５０は、図１で示した、上発光部１１０、下発光部１２０、中央発光部１３０のそれぞれに対応する。
【００２８】
点灯制御部６０は、制御部６２と、記憶部６４と、受信部６６とを含む。制御部６２は一般的なマイクロプロセッサーにより構成され、電源部４０を制御することにより、負荷部５０に供給する電力を制御し、発光素子５２の点灯状態を制御する。記憶部６４は、照明装置１００の各種調光モードにおける明るさの値などの種々の情報を、制御部６２が読み出し可能な形式で保存している。受信部６６は、ユーザーが操作するリモコン２００から送信される信号（調光モードを切り替えるモード切替信号など）Ｓを受信し、制御部６２に渡す。
【００２９】
図３は、照明装置１００の調光モードと明るさの関係を示すグラフであり、この関係は各種のテーブルの様な形式で記憶部６４に保存されている。照明装置１００の明るさは、発光素子５２電力を供給する電源部４０を制御する制御部６２により制御される。制御部６２は、記憶部６４に保存された図３のグラフに従い、照明装置１００の調光モードとして、少なくとも第１の調光モードである通常点灯モードと、第２の調光モードである常夜灯モードにより、照明装置１００を点灯させる。
【００３０】
通常点灯モードは、発光素子５２の最大出力により得られる最も明るい１００％の明るさ（照明装置として最も明るい照度）の点灯状態（第１点灯状態）から、この１００％の明るさの点灯状態よりも暗い５％の明るさの点灯状態（第２点灯状態）まで調光する第１の調光モードである。制御部６２が発光素子５２の点灯デューティを制御することにより、電源部４０が発光素子５２に供給する電流を変化させるため、グラフに示すように明るさは段階的に変化する。
【００３１】
常夜灯モードは、上述した５％の明るさの点灯状態（第２点灯状態）よりも暗い１．５％の明るさの点灯状態（第３点灯状態）から、この１．５％の明るさの点灯状態よりも暗い０．５％の明るさの点灯状態（第４点灯状態）まで調光する第２の調光モードである。
【００３２】
通常点灯モード（第１の調光モード）と第２の調光モード（常夜灯モード）の間の明るさの範囲（５％より小さく１．５％より大きい範囲）は、本実施形態では、いわゆる使用しない明るさの範囲（未使用明るさ範囲）として把握され、第１の調光モードと第２の調光モードのいずれにも属さない。
【００３３】
図４は、図３におけるＦの部分を拡大して示した図である。上述したように、発光素子５２の明るさは、制御部６２による点灯デューティの制御により段階的に変化する。ここで、本実施形態においては、通常点灯モードにおいて、第２点灯状態よりも明るく当該第２点灯状態の直近の点灯状態を第５点灯状態と定義する。また、常夜灯モードにおいて、第３点灯状態よりも暗く当該第３点灯状態の直近の点灯状態を第６点灯状態と定義する。
【００３４】
この場合、第２点灯状態から第３点灯状態への移行においては、所定の明るさの変化量が存在し、この明るさの変化量を第１の明るさの変化量と定義する。図３では第１の明るさの変化量は変化量（Ｂ）に相当し、本実施形態では、変化量（Ｂ）は５−１．５＝３．５（％）になる。
【００３５】
さらに、第５点灯状態から第２点灯状態への移行においても、所定の明るさの変化量が存在し、この明るさの変化量を第２の明るさの変化量と定義する。図３では第２の明るさの変化量は変化量（Ａ）に相当する。変化量（Ａ）の値は例えば０．１％である。
【００３６】
そして、本実施形態では、少なくとも、第１の明るさの変化量（Ｂ）が、第２の明るさの変化量（Ａ）より大きく設定されている（（Ｂ）＞（Ａ））。このような設定は、通常点灯モードから常夜灯モードに移行する瞬間に、モードの移行の直前の明るさの落ち込みに比べ、より大きく明るさが落ち込むことを意味する。  
【００３７】
もし（Ａ）と（Ｂ）がほぼ等しい場合、ユーザーは、いつ照明装置１００が通常点灯モードから常夜灯モードに移行したのか、把握し難い可能性がある。しかしながら、上述した明るさの変化のように、モードの移行前の変化に比べて、モード移行時の変化を増大させることにより、ユーザーは、照明装置１００が通常点灯モードから常夜灯モードに移行したことを明確に把握することができるようになる。したがって、ユーザーがリモコン２００を操作したにもかかわらず、照明装置１００のモードが通常点灯モードから常夜灯モードに移行したのかわからない、といった混乱を防止することが可能となる。よって、本実施形態の照明装置１００は、ユーザーの利便性、使用感を向上させる。
【００３８】
さらに、第３点灯状態から第６点灯状態への移行においても、所定の明るさの変化量が存在し、この明るさの変化量を第３の明るさの変化量と定義する。図３では第３の明るさの変化量は変化量（Ｃ）に相当する。変化量（Ｃ）の値は例えば０．２％である。
【００３９】
そして、本実施形態では、より好ましい設定として、第１の明るさの変化量（Ｂ）が、第３の明るさの変化量（Ｃ）より大きく設定されている（（Ｂ）＞（Ｃ））。このような明るさの変化により、ユーザーは、照明装置１００が通常点灯モードから常夜灯モードに移行したことを更に明確に把握することができるようになる。よって、本実施形態の照明装置１００は、ユーザーの利便性、使用感をさらに向上させる。
【００４０】
図４は明るさの制御の一実施形態であるが、図５は明るさの制御の他の実施形態を示す。本実施形態では、制御部６２は、通常点灯モードと常夜灯モードとの間で、明るさがゼロである消灯期間が設けられるように、発光素子５２の明るさを制御する。本実施形態によれば、短期間でも照明装置１００が消灯するため、ユーザーは、照明装置１００が通常点灯モードから常夜灯モードに移行したことをさらに明確に把握することができるようになる。したがって、ユーザーがリモコン２００を操作したにもかかわらず、照明装置１００のモードが通常点灯モードから常夜灯モードに移行したのかわからない、といった混乱を防止することが可能となる。よって、本実施形態の照明装置１００は、ユーザーの利便性、使用感を向上させる。図４の実施形態の明るさの変化量（Ａ）、（Ｂ）、（Ｃ）も図３のものと同様に決定することができる。
【００４１】
尚、図３、図４に示した明るさのパターンは、記憶部６４に保存されており、制御部６２が保存されたパターンを読み出す。記憶部６４が予め複数種類のパターンを記憶し、ユーザーがいずれかのパターンを選択可能にすることも可能である。
【００４２】
また、通常点灯モードにおいて、照明装置１００の明るさの程度に拘わらず、ユーザーがリモコン２００の常夜灯のボタンを押すことにより、制御部６２は即座に常夜灯モードに移行するよう、発光素子５２の明るさを制御することが可能である。
【００４３】
また、通常点灯モードでもなく、常夜灯モードでもない、明るさが実質的にゼロの消灯モードに移行した後、最後の常夜灯モードにおける明るさを再現するように、制御部６２は照明装置１００を制御することが可能である。例えば、常夜灯モードにおいて、明るさゼロを望むユーザーがリモコンを操作して照明装置１００を消灯モードに移行させる。ユーザーが再度リモコンを操作して常夜灯モードに戻すと、以前の明るさで点灯させることができる。記憶部６４が消灯モード前の常夜灯モードにおける最後の明るさを記憶し、再度の常夜灯モードの開始時に制御部６２がこの明るさを読み出すことによりこのような制御が可能になる。
【００４４】
ところで、明るさが実質的にゼロの消灯モードでは、一般的に発光素子５２に電力を供給する電源部４０内の電解コンデンサ４２には、電荷が蓄電されない（充電されない）。また、常夜灯モードの如き省電力の調光モードでは、発光素子５２を点灯させる点灯デューティは低い値に設定されている。このことは電解コンデンサ４２への充電を担う充電デューティも低く、充電に所定の時間がかかることを意味する。
【００４５】
よって、従来の照明装置では、ユーザーが消灯モードから常夜灯モードの如き省電力の調光モードへの移行操作をした場合、発光素子５２の点灯開始にも所定の時間を要することになり、例えば装置が故障したかのように、ユーザーに混乱を招くことも想定される。
【００４６】
図６は、充電デューティ、点灯デューティと照明装置の点灯状態の関係を示すタイムチャートであり、（ａ）は、上述した従来の照明装置におけるタイムチャートを示す。ユーザーの操作によりリモコン２００から送信された消灯モードから常夜灯モードへのモード切替信号に基づき、電解コンデンサ４２への充電を開始する充電デューティが始まり、点灯デューティの開始のタイミングとともに常夜灯モードによる点灯が開始するのが理想である。しかしながら、図６（ａ）に示すように、上述した理由によりモード切替信号の受信から点灯までの所定の遅れ時間ｔｇ１が発生してしまう。特に遅れ時間ｔｇ１は、電解コンデンサの性能（充電時間）を考慮した充電デューティ期間ｔ１（例えば１．５秒）よりも長くなっている。
【００４７】
図６（ｂ）は本実施形態の照明装置１００のタイムチャートを示す。上述したような不都合を解消するため、本実施形態では、負荷部５０に電力を供給する電源部４０の電解コンデンサ４２の充電状態に応じて、制御部６２は電源部４０による電力の供給を制御するとともに電解コンデンサ４２の充電デューティ、発光素子５２の点灯デューティを制御する。
【００４８】
明るさが実質的にゼロである消灯モードにおいては、電解コンデンサ４２は充電されていない未充電の状態である。この状態で受信部６６が、リモコン２００から消灯モードから常夜灯モードへのモード切替信号を受信すると同時に、制御部６２は、電源部４０を制御し、所定の点灯デューティにて所定の時間、急速に電解コンデンサ４２を充電させることで充電を早め、起動（点灯）遅れを解消させる。特にここでは、常夜灯モードにおける上限の点灯デューティを充電デューティとして、電源部４０は、電解コンデンサ４２への充電を開始する。ただし、必ずしも常夜灯モードにおける上限の点灯デューティを充電デューティとして設定する必要はない。制御部６２は、明るさがゼロである消灯モードから第２の調光モードへの移行の開始後、第２の調光モード移行後における点灯デューティより大きい点灯デューティを充電デューティとして電解コンデンサ４２への充電を開始するように電源部４０を制御すればよい。
【００４９】
この結果、図６（ａ）で示した起動（点灯）の遅れ時間ｔｇ１よりも、遅れ時間はより短いｔｇ２になり、起動（点灯）の遅れが緩和される。例えば、１．５秒以上の遅れ時間ｔｇ１より短い１秒の遅れ時間ｔｇ２で電解コンデンサ４２の充電が完了し、発光素子５２の点灯が開始する。さらに０．５秒（ｔ２＝ｔ１−ｔｇ２で）後に、常夜灯モードによる点灯（記憶部６４に記憶された明るさ）に移行する。特にここでは、常夜灯モードの上限の明るさ、すなわち１．５％の明るさでｔ２秒間点灯させることにする（図６（ｂ）の「未充電時」参照）。
【００５０】
一方、通常点灯モードから常夜灯モードに移行するような状況では、電解コンデンサ４２がフルに充電されていたり、ある程度のレベルまで充電されていることもある（これらの状態をまとめて「満充電時」と定義する）。
【００５１】
この場合、受信部６６が、リモコン２００からのモード切替信号（例えば通常点灯モードから常夜灯モードへのモード切替信号）を受信すると同時に、制御部６２は、電源部４０を制御し、発光素子５２を所定の点灯デューティにて所定の時間点灯させる。ここでは、常夜灯モードの上限の明るさ、すなわち１．５％の明るさでｔ３秒間（ここでは１．５秒）点灯させることにする（図６（ｂ）の「満充電時」参照）。
【００５２】
すなわち、従来の照明装置では、電解コンデンサ４２がある程度以上のレベルで充電されている場合、そのままで点灯デューティを開始すると、充電の度合いに応じた明るさで発光素子５２を発光させてしまい、一瞬の明るさによるチラツキ等の不具合が生じ得る。しかしながら、本実施形態では、常夜灯モードへの移行前の点灯デューティの時間と明るさを調整することにより、一瞬の明るさによるチラツキや、点灯の遅れを減少させ、違和感なく点灯させることが可能となる。
【００５３】
本実施形態では発光素子５２が、ｔ２＝０．５秒、ｔ３＝１．５秒という時間の範囲で、常夜灯モードの上限の明るさ（具体的には１．５％）で発光する。このような時間と明るさであれば、ユーザーは違和感を感じにくい。すなわち、消灯モードから常夜灯モードへの移行時においては、ｔ２＝０．５秒のため、リモコン操作後から１秒後に常夜灯モードの上限で点灯するため、ユーザーはずれを感じにくくなる。また、通常点灯モードから常夜灯モードへの移行時においては、常夜灯モードの上限の明るさから常夜灯モードへ移行できるため、常夜灯モードへの切替後に一瞬の明るさによるちらつきがなく、ユーザーが違和感を感じにくい。
【００５４】
尚、別の実施形態として、制御部６２が、常夜灯モードへの移行前の通常点灯モードの点灯時間から、移行前の点灯デューティの時間を計測し、これを基づき電解コンデンサ４２の充電時間を想定し、充電、点灯のための充電及び点灯デューティの出力、時間を調整することも可能である。
【００５５】
尚、本実施形態の照明装置１００は、上発光部１１０、下発光部１２０、中央発光部１３０の三つの光源の系統を有するが、特にそのような形態には限られず、１つの系統の照明装置に対しても本発明は適用可能である。また、常夜灯モードにおいて中央発光部１３０のみが点灯する様な制御には必ずしも限られず、上発光部１１０、下発光部１２０、中央発光部１３０の三系統により、常夜灯モードを実現することも可能である。また、照明装置１００の具体的な回路も図２に示したものには限定されない。
【００５６】
また、本実施形態では、第１の調光モードが通常点灯モードに対応し、第２の調光モードが常夜灯モードに対応する。しかしながら、第１の調光モード、第２の調光モードはこのような種類のモードに限定はされない。例えば、第１の調光モードがフル点灯モードで、第２の調光モードが省電力モードであってもよい。また、第１の調光モード、第２の調光モードに加え、第３の調光モードも設定し、三つの調光モードに対し、本発明を適用することもできる。
【００５７】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【符号の説明】
【００５８】
１０    商用電源
２０    整流回路
３０    昇圧チョッパ回路
４０    電源部
４２    電解コンデンサ
５０    負荷部
５２    発光素子
６０    点灯制御部
６２    制御部
６４    記憶部
６６    受信部
１００  照明装置
１１０  上発光部
１２０  下発光部
１３０  中央発光部
【図１】
0006296347.tif 000002
【図２】
0006296347.tif 000003
【図３】
0006296347.tif 000004
【図４】
0006296347.tif 000005
【図５】
0006296347.tif 000006
【図６】
0006296347.tif 000007